(57)【要約】      （修正有）【課題】汚れた場合に簡単に洗浄することができ、例えば、洗濯機を使用して丸洗いすることができるドレン蒸発シート体を提供する。【解決手段】ドレン蒸発シート体１は、所定間隔をあけて起立状態でほ略平行に配列された複数枚の蒸発シート２と、保持部３ａと押圧部３ｂとを有するＬ字型に形成され、保持部３ａが蒸発シート２の配列方向に沿った一方の側部を貫通するとともに蒸発シート２を抜け止めし、押圧部３ｂが蒸発シート２の配列方向の一方の端部に位置する一つの蒸発シート２の外側面に弾性的に当接された第一弾性線状保持部材と、保持部と押圧部とを有するＬ字型に形成され、保持部が蒸発シート２の配列方向に沿った他方の側部を貫通するとともに蒸発シート２を抜け止めし、押圧部が蒸発シート２の配列方向の他方の端部に位置する一つの蒸発シート２の外側面に弾性的に当接された第二弾性線状保持部材とを有する。【選択図】図１
2017120147.tif 000002
【特許請求の範囲】
【請求項１】
所定間隔をあけて起立状態で略平行に配列された複数枚の蒸発シートと、
保持部と押圧部とを有するＬ字型に形成され、前記保持部が前記蒸発シートの配列方向に沿った一方の側部を貫通するとともに前記蒸発シートを抜け止めし、前記押圧部が前記蒸発シートの配列方向の一方の端部に位置する前記蒸発シートの外側面に弾性的に当接された第一弾性線状保持部材と、
保持部と押圧部とを有するＬ字型に形成され、前記保持部が前記蒸発シートの配列方向に沿った他方の側部を貫通するとともに前記蒸発シートを抜け止めし、前記押圧部が前記蒸発シートの配列方向の他方の端部に位置する一つの前記蒸発シートの外側面に弾性的に当接された第二弾性線状保持部材と、
を有するドレン蒸発シート体。
【請求項２】
隣り合う一部の前記蒸発シートの間にエアキャップが介装されていることを特徴とする請求項１記載のドレン蒸発シート体。
【請求項３】
隣り合う前記蒸発シートの間に、櫛歯状のスペーサー部材が介装されていることを特徴とする請求項１又は２記載のドレン蒸発シート体。
【発明の詳細な説明】
【技術分野】
【０００１】
本発明は、冷凍・冷蔵ショーケース内で生じたドレンを蒸発させるために使用するドレン蒸発シート体に関する。
【背景技術】
【０００２】
従来、スーパーマーケットやコンビニエンスストア等の店舗では、商品を陳列・販売する機器として冷凍・冷蔵ショーケースが使用されている。これらの冷凍・冷蔵ショーケースでは、結露により或いは冷却器の除霜によりドレンが発生するので、このドレンをドレンパン内に導き、ドレンパン内に導かれたドレンを蒸発シートを用いて蒸発させている。
【０００３】
ドレンパン内に導かれたドレンを蒸発シートを用いて蒸発させる構造としては、例えば、下記特許文献１に記載されたものが知られている。下記特許文献１に記載された構造では、ドレンパンの底部に複数のスリットを形成し、矩形状に形成された複数の蒸発シートの下端部をスリットに差し込むとともにこれらの蒸発シートを所定間隔をあけて平行に配列している。さらに、蒸発シートの上部側に長尺状のシート状蒸発布を敷設し、このシート状蒸発布に下向きに折り曲げた側壁を形成するとともにこの側壁に切れ込みを形成し、この切れ込みに蒸発シートの上端側を差し込んでいる。
【０００４】
ドレンパン内に導かれたドレンは、蒸発シートに吸い上げられ、蒸発シートから蒸発する。
【先行技術文献】
【特許文献】
【０００５】
【特許文献１】特開２０１２−１９３９０７号公報
【発明の概要】
【発明が解決しようとする課題】
【０００６】
ドレンを吸い上げて蒸発させるための蒸発シートは吸水性の高い材料で形成されているが、塵の付着等により汚れた場合には吸水性が低下し、それに伴ってドレンを蒸発させる性能が低下する。そのため、一定期間毎に定期的に、或いは汚れた場合に適宜、蒸発シートを洗浄する必要がある。
【０００７】
特許文献１の蒸発シートの洗浄は、蒸発シートとシート状蒸発布とをドレンパンから取外し、これらの蒸発シートとシート状蒸発布とをバケツ等に入れた洗浄液中に浸し、洗浄液中に浸した蒸発シートとシート状蒸発布とを手で把持し、洗浄液中で上下動させて濯ぎ洗いすることにより行っている。
【０００８】
このため、蒸発布片とシート状蒸発布との洗浄に手間がかかっている。また、手で把持して洗浄液中で上下動させる濯ぎ洗い方式では、汚れが充分に取れない場合が多い。さらに、洗浄後にドレンパン内に戻す場合には各蒸発シートの下端部をドレンパンのスリットに差し込まなければならず、洗浄後の後処理に手間がかかっている。
【０００９】
本発明は、このような課題を解決するためになされたもので、その目的は、汚れた場合に簡単に洗浄することができ、例えば、洗濯機を使用して丸洗いすることのできるドレン蒸発シート体を提供することにある。
【課題を解決するための手段】
【００１０】
本発明に係るドレン蒸発シート体は、所定間隔をあけて起立状態で略平行に配列された複数枚の蒸発シートと、保持部と押圧部とを有するＬ字型に形成され、前記保持部が前記蒸発シートの配列方向に沿った一方の側部を貫通するとともに前記蒸発シートを抜け止めし、前記押圧部が前記蒸発シートの配列方向の一方の端部に位置する前記蒸発シートの外側面に弾性的に当接された第一弾性線状保持部材と、保持部と押圧部とを有するＬ字型に形成され、前記保持部が前記蒸発シートの配列方向に沿った他方の側部を貫通するとともに前記蒸発シートを抜け止めし、前記押圧部が前記蒸発シートの配列方向の他方の端部に位置する一つの前記蒸発シートの外側面に弾性的に当接された第二弾性線状保持部材と、を有する。
【００１１】
また、前述のドレン蒸発シート体において、隣り合う一部の前記蒸発シートの間にエアキャップが介装されていることが望ましい。
【００１２】
また、前述のドレン蒸発シート体において、隣り合う前記蒸発シートの間に、櫛歯状のスペーサー部材が介装されていることが望ましい。
【発明の効果】
【００１３】
本発明に係るドレン蒸発シート体によれば、所定間隔をあけて起立状態で略平行に配列された複数枚の蒸発シートを有し、周囲の４面が第一弾性線状保持部材と第二弾性線状保持部材とにより囲まれており、各蒸発シートはその配列状態で弾性的に保持されている。このため、このドレン蒸発シート体を洗濯機で洗浄すると、洗浄に伴う外力がドレン蒸発シート体に作用した場合には、ドレン蒸発シート体は各蒸発シートが折り重なる方向に傾いて変形しても、蒸発シートはばらばらにならない。そして、洗浄が終了して外力の作用がなくなると、第一・第二弾性線状保持部材の弾性力により複数の蒸発シートは平行に配列された起立状態に自動的に戻る。従って、ドレン蒸発シート体が汚れた場合には洗濯機を用いて簡単に洗浄することができ、ドレン蒸発シート体の蒸発性能の維持を図ることができる。
【００１４】
また、隣り合う一部の蒸発シートの間にエアキャップを介装することにより、このエアキャップによってドレン蒸発シート体に浮力を与えることができ、洗濯機での洗浄時にドレン蒸発シート体が洗濯槽の底部に配置されて回転している回転体に接触することを防止することができ、洗浄時にドレン蒸発シート体が回転体に接触することにより生じるドレン蒸発シート体の損傷を防止することができる。
【００１５】
また、隣り合う蒸発シートの間に櫛歯状のスペーサー部材を介装することにより、隣り合う蒸発シート間の隙間を確保することができ、特に、洗濯機で洗浄した後においても隣り合う蒸発シート間の隙間を確保することができ、蒸発シートからのドレンの蒸発促進を維持することができる。
【図面の簡単な説明】
【００１６】
【図１】本発明の一実施形態のドレン蒸発シート体を示す斜視図である。
【図２】ドレン蒸発シート体を図１で示す方向と反対方向から示す斜視図である。
【図３】ドレン蒸発シート体を示す正面図である。
【図４】スペーサー部材を拡大して示す正面図である。
【発明を実施するための形態】
【００１７】
本発明の一実施形態のドレン蒸発シート体１について、図面に基づいて説明する。スーパーマーケットやコンビニエンスストア等の店舗では、商品を陳列・販売する機器として冷凍・冷蔵ショーケース（図示せず）が使用されている。これらの冷凍・冷蔵ショーケースでは、結露により或いは冷却器の除霜によりドレンが発生するので、このドレンを導くドレンパン（図示せず）が冷凍・冷蔵ショーケースの底部に設けられている。ドレンパン内には、導かれたドレンを吸い上げて蒸発させるためのドレン蒸発シート体１が設置されている。
【００１８】
図１は、ドレン蒸発シート体１を示す斜視図であり、図２は、ドレン蒸発シート体１を図１で示す方向と反対方向から示す斜視図である。ドレン蒸発シート体１は、複数枚の蒸発シート２と、第一・第二弾性線状保持部材３、４と、エアキャップ５と、スペーサー部材６とを備え、略直方体形状に形成されている。ドレン蒸発シート体１は、矩形状の蒸発シート２と、その矩形状の一部に切欠きを形成した蒸発シート２との２種類の形状の蒸発シート２により形成されている。蒸発シート２に形成された切欠きの部分は、ドレンをドレンパに導くドレン配管の逃げ部とされている。なお、ドレン蒸発シート体１を形成する蒸発シート２の形状については、全てが同一の形状であってもよい。
【００１９】
蒸発シート２は、吸水性の高い材料（例えば、不織布）を用いて扁平な矩形状に形成されており、複数枚の蒸発シート２がそれぞれの面を対向させるとともに対向した面の間に所定間隔（例えば、７ｍｍ）の隙間を有して起立状態で略平行に配列されている。これらの蒸発シート２の配列方向に沿った両側部には、Ｔ字形状に形成された切れ込み７が上下２段に形成されている。
【００２０】
第一弾性線状保持部材３は、図１に示すように、線状のワイヤを折り曲げることにより保持部３ａと押圧部３ｂとを有するＬ字型に形成されている。保持部３ａは、蒸発シート２の配列方向の一方の側部に形成された上下の切れ込み７に貫通されている。押圧部３ｂは、蒸発シート２の配列方向の一方の端部に位置する蒸発シート２の外側面に弾性的に当接されている。また、上下の切れ込み７を貫通した保持部３ａの先端部には図２に示すように、蒸発シート２を保持部３ａから抜け止めする一対の抜け止め用屈曲部３ｃが形成されている。これらの抜け止め用屈曲部３ｃは、互いに向かい合う方向に折り曲げられるとともに先端側の一部が重なり合う位置まで延出され、蒸発シート２の配列方向の他方の端部に位置する蒸発シート２の外側面に当接されている。
【００２１】
第二弾性線状保持部材４は、図２に示すように、線状のワイヤを折り曲げることにより保持部４ａと押圧部３ｂとを有するＬ字型に形成されている。保持部４ａは、蒸発シート２の配列方向の他方の側部に形成された上下の切れ込み７に貫通されている。押圧部４ｂは、蒸発シート２の配列方向の他方の端部に位置する蒸発シート２の外側面に弾性的に当接されている。また、上下の切れ込み７を貫通した保持部４ａの先端部には図１に示すように、蒸発シート２を保持部４ａから抜け止めする一対の抜け止め用屈曲部４ｃが形成されている。これらの抜け止め用屈曲部４ｃは、互いに向かい合う方向に屈曲されるとともに先端側の一部が重なり合う位置まで延出され、蒸発シート２の配列方向の一方の端部に位置する蒸発シート２の外側面に当接されている。
【００２２】
エアキャップ５は、内部に空気が封入された中空のシート状部材であり、図３に示すように、蒸発シート２の配列方向の両端部に位置する蒸発シート２とその内側に位置する蒸発シート２との間に溶着されている。
【００２３】
スペーサー部材６は、図４に示すように櫛歯状に形成された部材であり、図３に示すように切れ込み７に嵌め込まれている。
【００２４】
このような構成において、複数枚の蒸発シート２を起立状態で平行に配列して直方体形状に形成されたドレン蒸発シート体１は、スペーサー部材６を切れ込み７に嵌め込むことにより隣合った各蒸発シート２間の間隔が一定に確保されている。そして、第一弾性線状保持部材３は、押圧部３ｂが蒸発シート２の配列方向の一方の端部に位置する一つの蒸発シート２の外側面に弾性的に当接され、抜け止め用屈曲部３ｃが蒸発シート２の配列方向の他方の端部に位置する一つの蒸発シート２の外側面に当接されている。さらに、第二弾性線状保持部材４は、押圧部４ｂが蒸発シート２の配列方向の他方の端部に位置する一つの蒸発シート２の外側面に弾性的に当接され、抜け止め用屈曲部４ｃが蒸発シート２の配列方向の一方の端部に位置する一つの蒸発シート２の外側面に当接されている。
【００２５】
このため、ドレン蒸発シート体１は、周囲の４面が第一弾性線状保持部材３と第二弾性線状保持部材４とにより囲まれており、各蒸発シート２は第一・第二弾性線状保持部材３、４から外れることなくその配列状態を弾性的に保持されている。
【００２６】
このドレン蒸発シート体１を洗濯機で洗浄し、洗浄に伴う外力がドレン蒸発シート体１に作用した場合、ドレン蒸発シート体１は蒸発シート２が折り重なる方向に傾いて変形しても、各蒸発シート２が保持部３ａ、４ａから抜け落ちてばらばらになることはない。そして、洗浄が終了して外力の作用がなくなると、複数の蒸発シート２は、第一・第二弾性線状保持部材３、４の弾性力により平行に配列された起立状態に自動的に戻る。従って、ドレン蒸発シート体１が汚れた場合には洗濯機を用いてドレン蒸発シート体１を丸ごと洗浄することができ、ドレン蒸発シート体１の洗浄を簡単に行うことができるとともにドレン蒸発シート体１の蒸発性能を良好な状態に維持することを容易に行える。
【００２７】
また、洗濯機で洗浄した後のドレン蒸発シート体１は、蒸発シート２が平行に配列された起立状態に自動的に戻るので、洗浄後にはドレン蒸発シート体１をドレンパン内に戻すだけでよく、洗浄したドレン蒸発シート体１をドレンパン内に戻す前に形を整形するという作業が不要となり、洗浄後のドレン蒸発シート体１の取り扱いが容易になる。
【００２８】
また、ドレン蒸発シート体１には、蒸発シート２の配列方向の両端部の蒸発シート２側にエアキャップ５が介装されているので、このエアキャップ５によって洗濯機で洗浄されるドレン蒸発シート体１に浮力を与えることができる。このため、洗濯機での洗浄時にドレン蒸発シート体１が洗濯槽の底部に配置されて回転している回転体に接触することを防止することができ、洗浄時にドレン蒸発シート体１が回転体に接触することにより生じるドレン蒸発シート体の損傷を防止することができ、洗浄時の耐久性を向上させることができる。
【００２９】
また、隣り合う蒸発シート２の間に櫛歯状のスペーサー部材６が介装されているので、洗濯機で洗浄する前及び洗浄後のいずれにおいても、蒸発シート２間の隙間を確保することができ、蒸発シート２からのドレンの蒸発促進を維持することができる。
【符号の説明】
【００３０】
１    ドレン蒸発シート体
２    蒸発シート
３    第一弾性線状保持部材
３ａ  保持部
３ｂ  押圧部
３ｃ  抜け止め用屈曲部
４    第二弾性線状保持部材
４ａ  保持部
４ｂ  押圧部
４ｃ  抜け止め用屈曲部
５  エアキャップ
６    スペーサー部材
７    切れ込み
【図１】
2017120147.tif 000003
【図２】
2017120147.tif 000004
【図３】
2017120147.tif 000005
【図４】
2017120147.tif 000006